(57)【要約】      （修正有）【課題】薄型化されたラミネート型電池と接続され、電池が切れた後に集積回路の機能を損なうことなく、かつ、簡便な方法で再利用することのできるフレキシブルプリント配線板を提供する。【解決手段】ラミネート型電池２と一体となって使用されるフレキシブルプリント配線板３において、ラミネート型電池２と電気的に接続するための電極端子１０、１１を余剰に設けておくことにより、回収後に、使用済みラミネート型電池２を電極端子１０ごと切り離しても、残部の電極端子１１と新しいラミネート型電池２とを電気的に接続することによってフレキシブルプリント配線板の残部４を再利用することができる。【選択図】図７
2020072117.tif 000002
【特許請求の範囲】
【請求項１】
ラミネート型電池と一体となって使用されるフレキシブルプリント配線板であって、
前記フレキシブルプリント配線板上に、前記ラミネート型電池と電気的に接続するための電極端子が複数個存在し、かつ、前記電極端子の一部を切り離した場合に、前記電極端子の残部のいずれかが、電極端子としての機能を有することを特徴とするフレキシブルプリント配線板。
【請求項２】
前記電極端子が、集積回路から遠ざかる方向に設置されていることを特徴とする請求項１に記載のフレキシブルプリント配線板。
【請求項３】
前記フレキシブルプリント配線板が略長方形であり、前記電極端子が長辺方向に沿う方向に並んでいることを特徴とする請求項１又は２記載のフレキシブルプリント配線板。
【請求項４】
ラミネート型電池と一体となった状態において、前記ラミネート型電池が接続されている電極端子とは別に、未使用の電極端子が存在することを特徴とする請求項１乃至３のいずれか１項に記載のフレキシブルプリント配線板。
【請求項５】
ラミネート型電池と一体となって使用されるフレキシブルプリント配線板であって、
前記フレキシブルプリント配線板上に、前記ラミネート型電池と電気的に接続するための電極端子が存在し、かつ、前記電極端子が前記ラミネート型電池との電気的接続に必要な面積に対して余剰に大きく設計されていることを特徴とするフレキシブルプリント配線板。
【請求項６】
前記電極端子が、集積回路から遠ざかる方向に延在されていることを特徴とする請求項５に記載のフレキシブルプリント配線板。
【請求項７】
ラミネート型電池と一体となった状態において、前記ラミネート型電池が接続されている電極端子とは別に、未使用の電極端子領域が存在することを特徴とする請求項５又は６に記載のフレキシブルプリント配線板。
【請求項８】
前記ラミネート型電池が、一次電池であることを特徴とする請求項１乃至７のいずれか１項に記載のフレキシブルプリント配線板。
【請求項９】
請求項１乃至８のいずれか１項に記載のフレキシブルプリント配線板を用いた薄型通信デバイス。
【請求項１０】
請求項９記載の薄型通信デバイスに使用されている前記フレキシブルプリント配線板を、以下の（１）〜（３）の工程を含む工程によって再利用する方法。
（１）請求項９記載の薄型通信デバイスに使用されているフレキシブルプリント配線板を取り出す工程。
（２）前記フレキシブルプリント配線板と前記ラミネート型電池とを切り離す工程。
（３）別のラミネート型電池を前記電極端子の残部に電気的に接続する工程。
【請求項１１】
請求項１０記載の方法により再利用されたフレキシブルプリント配線板を用いた薄型通信デバイス。
【発明の詳細な説明】
【技術分野】
【０００１】
本発明は、再利用可能なフレキシブルプリント配線板及びそれを用いた薄型通信デバイス並びに薄型通信デバイスからフレキシブルプリント配線板を再利用する方法に関する。
【背景技術】
【０００２】
近年、通信デバイスを薄型化してフィルムやカードなどに搭載することが求められている。この技術により、例えば、ブルートゥース（登録商標）（近距離無線通信）技術を用いたビーコンをカードに搭載し、このカードをポスターの裏側に貼り付けると、近くを通る人のスマートフォンを介してポスターに関連する情報を通知することが可能となる。
【０００３】
通信デバイスを薄型化するに当たっては、回路については薄さに特徴のあるフレキシブルプリント配線板が用いられ、電池については同じく薄さに特徴のあるラミネート型電池が用いられることが多い。
【０００４】
ここで、ラミネート型電池としては、使い切りタイプの一次電池と充電して繰り返し使える二次電池が知られている。通信デバイスを薄型化するためには、構造がよりシンプルで小型化・薄型化しやすい一次電池の方が適しているが、二次電池であっても用途によっては十分機能する場合がある。
【０００５】
他方、通信デバイスとしては、上述の情報通知のためのカード型ビーコンだけではなく、加速度センサを搭載してウエアラブル機器として人間に貼り付け、その人間の動きに関する情報を外部に発信したりするなど、より高度な機能の搭載が求められることもあり、それに従ってフレキシブルプリント配線板の集積回路部分がより高価になる傾向になっている。
【０００６】
このような事情から、電池が切れた後（一次電池については放電した後、二次電池については充放電を繰り返して寿命が尽きた後）、薄型通信デバイスを回収してラミネート型電池と一体化したフレキシブルプリント配線板を取り出し、フレキシブルプリント配線板を新しいラミネート型電池と接合することによって、フレキシブルプリント配線板を再利用することが求められている。
【０００７】
なお、従来技術としては、特許文献１、２に示すように、集積回路を再利用するということ自体は知られていた。
【先行技術文献】
【特許文献】
【０００８】
【特許文献１】特開２０１３−１７２０６８号公報
【特許文献２】特開２００６−３５１７６５号公報
【発明の概要】
【発明が解決しようとする課題】
【０００９】
しかしながら、ラミネート型電池は、通常異方導電性フィルム（ＡＣＦ）等によってフレキシブルプリント配線板と接合されていることから、フレキシブルプリント配線板を再利用しようとしても、剥離の際にフレキシブルプリント配線板に応力がかかって変形をもたらしたり、電極端子上に接着剤の残滓が付着して洗浄に作業工数がかかったりするなどの問題があった。
【００１０】
そこで本発明は、上記の課題を克服し、薄型化されたラミネート型電池と接続されたフレキシブルプリント配線板において、電池が切れた後に、集積回路としての機能を損なうことなく、かつ、簡便な方法で再利用することのできるフレキシブルプリント配線板を提供する。
【課題を解決するための手段】
【００１１】
本発明のフレキシブルプリント配線板は、ラミネート型電池と一体となって使用されるフレキシブルプリント配線板であって、前記フレキシブルプリント配線板上に、前記ラミネート型電池と電気的に接続するための電極端子が複数個存在し、かつ、前記電極端子の一部を切り離した場合に、前記電極端子の残部のいずれかが、電極端子としての機能を有することを第１の特徴とする。
【００１２】
本発明のフレキシブルプリント配線板は、上記第１の特徴に加えて、前記電極端子が、集積回路から遠ざかる方向に設置されていることを第２の特徴とする。
【００１３】
本発明のフレキシブルプリント配線板は、上記第１又は第２の特徴に加えて、前記フレキシブルプリント配線板が略長方形であり、前記電極端子が長辺方向に沿う方向に並んでいることを第３の特徴とする。
【００１４】
本発明のフレキシブルプリント配線板は、上記第１〜第３のいずれか一つの特徴に加えて、前記ラミネート型電池と一体となった状態において、前記ラミネート型電池が接続されている電極端子とは別に、未使用の電極端子が存在することを第４の特徴とする。
【００１５】
本発明のフレキシブルプリント配線板は、ラミネート型電池と一体となって使用されるフレキシブルプリント配線板であって、前記フレキシブルプリント配線板上に、前記ラミネート型電池と電気的に接続するための電極端子が存在し、かつ、前記電極端子が前記ラミネート型電池との電気的接続に必要な面積に対して余剰に大きく設計されていることを第５の特徴とする。
【００１６】
本発明のフレキシブルプリント配線板は、上記第５の特徴に加えて、前記電極端子が、集積回路から遠ざかる方向に延在されていることを第６の特徴とする。
【００１７】
本発明のフレキシブルプリント配線板は、上記第５又は第６の特徴に加えて、前記ラミネート型電池と一体となった状態において、前記ラミネート型電池が接続されている電極端子とは別に、未使用の電極端子領域が存在することを第７の特徴とする。
【００１８】
本発明のフレキシブルプリント配線板は、上記第１〜第７のいずれかの特徴に加えて、前記ラミネート型電池が、一次電池であることを第８の特徴とする。
【００１９】
本発明の薄型通信デバイスは、上記第１〜第８のいずれかの特徴を有するフレキシブルプリント配線板を用いたことを第１の特徴とする。
【００２０】
本発明の再利用方法は、以下の（１）〜（３）の工程を含む工程によって再利用することを特徴とする。
（１）上記第１の特徴を有する薄型通信デバイスに使用されているフレキシブルプリント配線板を取り出す工程。
（２）前記フレキシブルプリント配線板と前記ラミネート型電池とを切り離す工程。
（３）別のラミネート型電池を前記電極端子の残部に電気的に接続する工程。
【００２１】
本発明の薄型通信デバイスは、上記特徴を有する再利用方法により再利用されたフレキシブルプリント配線板を用いたことを第２の特徴とする。
【発明の効果】
【００２２】
本発明のフレキシブルプリント配線板によれば、薄型化されラミネート型電池と一体化した状態で使用され電池が切れた後であっても、集積回路としての機能を損なうことなく、かつ、簡便な方法で再利用することができる。
【図面の簡単な説明】
【００２３】
【図１】本発明の実施形態（１）に係るフレキシブルプリント配線板を示す図である。
【図２】本発明の実施形態（２）に係るフレキシブルプリント配線板を示す図である。
【図３】本発明の実施形態（３）に係るフレキシブルプリント配線板を示す図である。
【図４】本発明の実施形態（４）に係るフレキシブルプリント配線板を示す図である。
【図５】本発明の実施形態（５）に係るフレキシブルプリント配線板を示す図である。
【図６】本発明の実施形態に係るフレキシブルプリント配線板とラミネート型電池との電気的接合の様子を表す図で、（ａ）は、ラミネート型電池が本発明の実施形態に係るフレキシブルプリント配線板に接合される前の状態を表す図、（ｂ）は、接合後を表す図である。
【図７】本発明の実施形態に係る再利用方法（１）を示す図（１）で、（ａ）は、本発明の実施形態に係るフレキシブルプリント配線板とラミネート型電池とが接合されている状態で切断ラインを示した図、（ｂ）は、切断後を表す図である。
【図８】本発明の実施形態に係る再利用方法（１）を示す図（２）であり、（ａ）は、図７の切断後のフレキシブルプリント配線板の残部と新しいラミネート型電池とが接合される前の状態を表す図、（ｂ）は、接合後を表す図である。
【図９】本発明の実施形態に係る別の再利用方法（２）を示す図（１）であり、（ａ）は、図７の切断後のフレキシブルプリント配線板の残部と電極端子増設用フレキシブルプリント配線板とを接合する前の状態を表す図、（ｂ）は、接合状況を表す斜視図、（ｃ）は、接合後を表す図である。
【図１０】本発明の実施形態に係る別の再利用方法（２）を示す図（２）であり、（ｄ）は、図９（ｃ）で製造したフレキシブルプリント配線板とラミネート型電池とを接合する前の状態の図、（ｅ）は、接合後を表す図であり、更に再利用方法（２）を用いて再利用する際の切断ラインも示している。
【発明を実施するための形態】
【００２４】
以下、図面を参照して、本発明の実施形態に係るフレキシブルプリント配線板１及びそれを用いた薄型通信デバイス並びに薄型通信デバイスからフレキシブルプリント配線板を再利用する方法について説明する。しかし、以下の説明は、本発明の実施形態であって、特許請求の範囲に記載の内容を限定するものではない。
【００２５】
（本発明の実施形態（１）に係るフレキシブルプリント配線板）
まず、図１を参照して、本発明の実施形態に係るフレキシブルプリント配線板１を説明する。
【００２６】
フレキシブルプリント配線板１は、集積回路６０と、電極端子１０、１１（図の破線で示したように電極端子のペアをまとめて一つの符号を付している。符号の意味について以下同様とする。）及びそれらを電気的に接続する金属配線９０〜９２を含んでいる。また、フレキシブルプリント配線板１は、大きく分けて、電極端子領域７と集積回路領域８とからなる。
なお、これらは、あくまでイメージとして図示したものであり、図の詳細部分について、回路としての特別の意味があるわけではない。
【００２７】
ラミネート型電池２は、図１には図示していないが、本発明の薄型通信デバイスとして使用される際には、図６〜図８に示すように、図１の電極端子１０、１１に接続されることが前提となっている。
【００２８】
電極端子１０、１１は、電池の正極、負極に接続するために、２つの電極端子のペアから成っている。
電極端子１０は、金属配線９０、９２を介して、集積回路６０と電気的に接続されている。そして、電極端子１１は、金属配線９１、９２を介して、集積回路６０と電気的に接続されている。
図１においては、簡略のため、金属配線９０〜９２が１本の金属配線であるかのように図示しているが、実際には、一つの電極端子から一本の金属配線が伸びて集積回路６０に接続しており、電気的に接続されているものではない。
これにより、電極端子１０、１１は、そのどちらにラミネート型電池２が接続されても集積回路６０に正常に電気を供給できるように設計されている。
【００２９】
（本発明の実施形態（２）に係るフレキシブルプリント配線板）
次に、図２を参照して、本発明の別の実施形態に係るフレキシブルプリント配線板１を説明する。
【００３０】
図２では、金属配線９０〜９２の設計が図１とは異なる。すなわち、電極端子１０、１１のそれぞれのペアのうち、図２の下側に表示された方の電極端子は、金属配線９０、９１と接続されているが、この二本の金属配線は、その後一本の金属配線に統合して集積回路６０に接続する。図２の上側に表示された方の電極端子も同様である。このようにすることで、図１の場合と比較して、金属配線の設計をよりシンプルにすることができる。
【００３１】
このように、本発明においては、電極端子１０、１１が、適切に集積回路６０に対して電気を供給できれば足り、その設計内容については特に制限されるものではない。
【００３２】
（本発明の実施形態（３）に係るフレキシブルプリント配線板）
次に、図３を参照して、本発明の別の実施形態に係るフレキシブルプリント配線板１を説明する。
【００３３】
図３では、電極端子１０〜１３が設けられている。各電極端子は、それぞれ集積回路６０に電気的に接続されている。このように電極端子を多数個設けることも可能であり、その個数に制限はない。薄型通信デバイスのスペースにゆとりがある限り、必要に応じて電極端子を設けることが可能である。
【００３４】
図３では、電極端子は、集積回路６０から遠ざかる方向に順に設置されている。ラミネート型電池２と接続する際に、遠い方の電極端子（電極端子１０）から接続することで、再利用時に古いラミネート型電池２を電極端子１０ごと直線的に切り離すことができるので作業が簡単である。切り離し後も、近い方の電極端子（電極端子１１〜１３）が利用できる状態であり、同様に遠い方の電極端子（電極端子１１）から接続することが望ましい。
【００３５】
（本発明の実施形態（４）に係るフレキシブルプリント配線板）
次に、図４を参照して、本発明の別の実施形態に係るフレキシブルプリント配線板１を説明する。
【００３６】
図４では、電極端子１０、１１が設けられている。各電極端子は、集積回路６０から概ね等距離に設置されており、それぞれ集積回路６０に電気的に接続されている。ラミネート型電池２と接続する際は、どちらの電極端子を利用しても良い。再利用時には、古いラミネート型電池２を接続した電極端子ごと切り離すことができる。
【００３７】
図４は、カードタイプの通信デバイスなど、横幅にスペース的な余裕がある場合に特に有効である。
【００３８】
（本発明の実施形態（５）に係るフレキシブルプリント配線板）
次に、図５を参照して、本発明の別の実施形態に係るフレキシブルプリント配線板１を説明する。
【００３９】
図５では、大型電極端子２０が設けられており、集積回路６０に電気的に接続されている。大型電極端子２０は、接続部分が余剰に長く設計されているので、このいずれの箇所においても、ラミネート型電池２と接続することができる。
【００４０】
図５では、電極端子は、集積回路６０から遠ざかる方向に余剰に長く設計されている。ラミネート型電池２と接続する際に、遠い方の電極端子部分から接続することで、再利用時に古いラミネート型電池２を電極端子ごと直線的に切り離すことができるので作業が簡単である。切り離し後も、残った近い方の電極端子部分が利用できる状態であり、同様に遠い方の電極端子部分から接続することが望ましい。
【００４１】
（本発明の実施形態（６）に係るフレキシブルプリント配線板）
図示はしないが、フレキシブルプリント配線板の裏面に電極端子を設ける態様についても、本発明の実施形態に含まれる。
【００４２】
このように、本発明においては、必ずしも複数個の電極端子が設けられている必要はなく、一個の電極端子でも、余剰の長さがあるなど、実質上複数個の電極端子と同様の機能を果たすものであればよい。
【００４３】
（本発明の電極端子）
本発明の電極端子としては、図１〜４のように電極端子のペアを複数個設けてもよいし、図５のように一つの電極端子を余剰に長く設けてもよい。
【００４４】
これにより、本発明の電極端子は、ラミネート型電池と一体となって使用される場合であっても、未使用の電極端子又は未使用の電極端子領域があることになる。この未使用の電極端子部分が再利用時に利用されることになる。
【００４５】
本発明の電極端子は、金属配線を適切に設計することにより、電極端子の一部を切断する方法により切り離した場合に、電極端子の残部のいずれかが、電極端子としての機能を有することになる。
【００４６】
切断方法については、一つの電極端子の一部を切断する場合と、複数個の電極端子のうちの一つの電極端子全体を切断する場合とが考えられる。この機能により、本発明の効果を奏することが可能となる。
【００４７】
（薄型通信デバイス）
次に、図６を参照して、本発明の実施形態に係るフレキシブルプリント配線板１とラミネート型電池２とを電気的に接合する様子を説明する。
【００４８】
ここで、用いられるラミネート型電池２としては、市販されている任意の製品を用いることができる。ラミネート型電池には、使い切りタイプの一次電池と充電して繰り返し使える二次電池の２種類が知られているが、本発明においては、いずれの種類も用いることが可能である。一次電池を用いた場合は、小型化しやすいというメリットがある反面、再利用の頻度が増えるというデメリットがある。また、二次電池を用いた場合は、充放電を繰り返すことができるというメリットがある反面、より小型化しにくいというデメリットがある。
【００４９】
フレキシブルプリント配線板１に設置する電極端子１０、１１は、当該ラミネート型電池２の電極と合うように、その大きさや幅などを設計する必要がある（図６（ａ））。
【００５０】
その上で、ラミネート型電池２は、異方導電性フィルム（ＡＣＦ）又は低温効果型フレキシブル導電性接着剤等、公知の電気的接合手段を用いて、フレキシブルプリント配線板１に電気的に接合される。なお、はんだによる接合は、接合温度（約２３０℃）が、ラミネート型電池２の耐熱温度を超える場合が多く、好ましくない。上記接合により、ラミネート型電池２は、フレキシブルプリント配線板１とが固定化され、一体となる。図６においては、ラミネート型電池２と、集積回路６０から遠い方の電極端子１０とを接合している（図６（ｂ））。これにより、ラミネート型電池が接合されたフレキシブルプリント配線板３ができる。
【００５１】
本発明の薄型通信デバイスとしては、このラミネート型電池が接合されたフレキシブルプリント配線板３をそのまま使用することのほか、フィルムやカードに格納して使用することができる。フィルムの場合には、粘着性のあるフィルムを用いて、ラミネート型電池が接合されたフレキシブルプリント配線板３を挟み込むようにすることによって製造することができる。また、カードの場合には、ラミネート型電池が接合されたフレキシブルプリント配線板３に対して、ポリエチレンなどの樹脂を流し込むことによって、成型することができる。しかしながら、本発明の薄型通信デバイスはこれらに限られるものではない。
【００５２】
本発明の薄型通信デバイスの厚みは、カード又はフィルムとして用いた場合に、１．０ｍｍ以下とすることができる。
【００５３】
（本発明のフレキシブルプリント配線板の再利用方法（１））
次に、図７を参照して、ラミネート型電池と一体となったフレキシブルプリント配線板３からラミネート型電池を切り離す様子を説明する。
【００５４】
ラミネート型電池２は、一次電池であっても二次電池であっても、通信デバイスとして一定量使用すれば、電池としての機能を失う。その際、まずは通信デバイスから、ラミネート型電池と一体となったフレキシブルプリント配線板３を回収することになる。
【００５５】
このため、本発明の薄型通信デバイスは、フィルムやカード等の最終製品形態に加工する段階で、予め回収可能な構造にしておく必要がある。すなわち、フィルムの場合には、フィルムを簡単に剥がせる種類のものを選択して中身を取り出しやすくしておく、カードの場合には、中身の両面に薄いシートを被せたまま成型してハサミ等で取り出しやすくしておくなどの工夫が必要である。
【００５６】
回収したラミネート型電池と一体となったフレキシブルプリント配線板３は、切断ライン１００において、ラミネート型電池を電極端子１０ごと切断する方法によって切り離す（図７（ａ））。このとき、電極端子１０に接続されている金属配線も切断されるが、電極端子１１を利用する際には不要な金属配線であり、特に問題は生じない。切り離す作業は、ハサミ等の器具を用いて直線的に切断するだけであり、作業としても手間がかからない。
【００５７】
切り離した後は、フレキシブルプリント配線板の残部４と、ラミネート型電池とフレキシブルプリント配線板の電極部分の接合体５に分かれる（図７（ｂ））。ラミネート型電池とフレキシブルプリント配線板の電極部分の接合体５は、そのまま破棄することができる。フレキシブルプリント配線板の残部４は、集積回路６０と、それに電気的に接続されている電極端子１１が残っており、再利用することが可能である。
【００５８】
次に、図８に示す通り、フレキシブルプリント配線板の残部４を用いて、別のラミネート型電池２と電極端子１１とを電気的に接合することができる。接合方法は、図６で説明したことと同様である。
【００５９】
図６〜８を使って説明した通り、本発明の薄型通信デバイスに使用されているフレキシブルプリント配線板１は、集積回路領域８に損傷がなく、かつ、電極端子に残部がある限り、繰り返し再利用することができ再販売に際して価格を低く抑えることが可能となる。また、長期間の使用に備えるために、大容量又は複数の電池を搭載する必要がないので、薄く小さい通信デバイスを提供することができる。
【００６０】
（本発明のフレキシブルプリント配線板の別の再利用方法（２））
次に、図９、１０を参照して、本発明の薄型通信デバイスに使用されているフレキシブルプリント配線板１の別の再利用方法を説明する。
【００６１】
本発明の薄型通信デバイスに使用されているフレキシブルプリント配線板１を何度も再利用したい場合、一般的には、図３又は図５で示したように、予め電極端子を多数個又は余分に長く設けておくことが考えられる。しかしながら、本発明のフレキシブルプリント配線板１においては、電極端子が２個しかない場合（電極端子の大きさの余剰が１個分である場合も含む）あっても、何度も再利用することができる。以下にその方法を説明する。
【００６２】
図６、７で図示したように、２個の電極端子を持つフレキシブルプリント配線板１を利用した後、再利用のために、切り離した後のフレキシブルプリント配線板の残部４を得た状況を想定する。
【００６３】
その後、電極端子増設用フレキシブルプリント配線板６を準備する（図９（ａ））。ここには、電極端子増設用電極端子３０及び電極端子１２が設けられている。電極端子増設用電極端子３０は、電極端子増設用フレキシブルプリント配線板６の上面と下面の両方に貫通する電極端子である。このような電極端子は、公知の方法によって製造することが可能である。
【００６４】
次に、電極端子増設用フレキシブルプリント配線板６に設けられた電極端子増設用電極端子３０の下面側の電極端子を、フレキシブルプリント配線板の残部４に設けられた電極端子１１と電気的に接合する（図９（ｂ））。接合方法は上述の通りである。
【００６５】
そして、ラミネート型電池２と接合し（図１０（ｃ））、電池が切れた場合に、薄型通信用デバイスから回収して、切断ライン１００で切断する（図１０（ｄ））。電極端子増設用電極端子３０には、上面にも電極端子があるので、フレキシブルプリント配線板の残部４を更に再利用することができる。すなわち、別のラミネート型電池２を直接接合しても良いし、再度別の電極端子増設用フレキシブルプリント配線板６を接合した上で別のラミネート型電池２を接合することができる。
【００６６】
このように、電極端子増設用電極端子３０を積層した厚みが薄型通信デバイスに格納するにあたって許容できる範囲内である限り、何度でもフレキシブルプリント配線板１を再利用することが可能である。
【００６７】
このような再利用方法は、薄型通信デバイスに十分なスペースがなく、かつ何度も再利用する必要がある場合に有用である。
【符号の説明】
【００６８】
１  フレキシブルプリント配線板
２  ラミネート型電池
３  ラミネート型電池が接合されたフレキシブルプリント配線板
４  フレキシブルプリント配線板の残部
５  ラミネート型電池とフレキシブルプリント配線板の電極部分の接合体
６  電極端子増設用フレキシブルプリント配線板
７  電極端子領域
８  集積回路領域
１０〜１３  電極端子
２０  大型電極端子
３０  電極端子増設用電極端子
６０  集積回路
９０〜９２  電極端子を集積回路６０と電気的に接続する金属配線
１００  切断ライン
【図１】
2020072117.tif 000003
【図２】
2020072117.tif 000004
【図３】
2020072117.tif 000005
【図４】
2020072117.tif 000006
【図５】
2020072117.tif 000007
【図６】
2020072117.tif 000008
【図７】
2020072117.tif 000009
【図８】
2020072117.tif 000010
【図９】
2020072117.tif 000011
【図１０】
2020072117.tif 000012